(57)【要約】【課題】頭部の大小にかかわらず使用者の頭部に常にフィットして動かない眼鏡フレームを提供する。【解決手段】テンプル６が、回動面に沿って屈曲する屈曲部７を有すると共に、屈曲部７により前方部と後方部とに区分したときに、後方部が前方部の延長線よりも内方に、位置するようにする。また、継手部５の弾性体により、最大の回動状態からさらに拡開可能とする。【選択図】図１
2007193040.tif 000002
【特許請求の範囲】
【請求項１】
フロント部の両側に継手部を介してテンプルが回動可能に取り付けられている眼鏡フレームであって、
前記テンプルが、前記回動面に沿って屈曲する屈曲部を有すると共に、該屈曲部により前方部と後方部とに区分したときに、該後方部が該前方部の延長線よりも内方に位置することを特徴とする眼鏡フレーム。
【請求項２】
前記テンプルの、前記後方部と前記前方部の延長線とのなす角度が１０度以上であることを特徴とする請求項１に記載の眼鏡フレーム。
【請求項３】
前記継手部が湾曲状の弾性体を備え、前記テンプルが最大の回動状態からさらに拡開可能であることを特徴とする請求項１又は２に記載の眼鏡フレーム。
【発明の詳細な説明】
【技術分野】
【０００１】
本発明は眼鏡フレームに関し、特に使用者の頭部に常に最適な状態でフィットするようにした眼鏡フレームに関する。
【背景技術】
【０００２】
眼鏡フレームには様々なタイプのものが存在するが、フロント部の中央がブリッジで連結されると共に、フロント部の両側に継手部を介してテンプルが回動可能に取り付けられているものが一般的である。そして、フロント部の中央には鼻パッドが設けられると共に、テンプルの後方部を下向きに湾曲させた形状として耳に掛かり易い形状とすることが多い。
【０００３】
しかしながら、人の頭部の大きさや形状、鼻の高さや形状等は個人差が大きいために、フロント部が顔から落ちてしまったり、レンズが眉毛に触れてしまったり、リムの下部が頬に当たってしまったりすることがある。そこで、眼鏡フレームが使用者の頭部にフィットした状態で固定されるように、種々の機能を付帯させることが提案されている。
【０００４】
例えば、特許文献１には、図６に示すように、ブリッジ３０の裏面に環状の台座を介して鼻パッド４０を取り付け、環状の台座を変形させることにより、鼻パッド４０とブリッジ３０との間の距離を調整可能とした眼鏡フレーム１０が提案されている。このような眼鏡フレーム１０は、使用者の顔面に対するレンズの位置を調節するためには優れているものと考えられる。
【０００５】
しかし、上記のような調整を可能とした場合でも、必ずしも使用者の頭部にフィットするとは限らない。眼鏡を使用する際には、テンプルを最大の回動状態として着用するが、この開き具合は使用者の頭部の大きさに応じて調節することになる。
【０００６】
このとき、テンプルの形状が回動面において直線状であるために、使用者の頭部とテンプルが接触する位置は、頭部の大小によって著しく変化する。頭の大きな人が使用する場合には、使用者の前頭部側とテンプルの前方部側が接触し、頭の小さい人が使用する場合には、使用者の後頭部側とテンプルの後方部側が接触することになる。すなわち、使用者の頭部における接触位置も、テンプルにおける接触位置も大きく変化する。
【０００７】
そして、使用者の側頭部とテンプルとの接触は、面接触ではなく点接触となるために眼鏡を頭部にフィットさせることが困難である。また、眼とレンズとの距離を一定に保持することができないために眼が疲れ易くなる。さらに、点接触した部分が痛くなり、甚だしい場合には擦り傷を生じたりすることになる。
【特許文献１】特開２００５−１１５１２４号公報
【発明の開示】
【発明が解決しようとする課題】
【０００８】
本発明は上記の課題を解決したものであり、使用者の頭部に常にフィットして動かない眼鏡フレームを提供することを目的とする。また、頭部の大小にかかわらず頭部にフィットすると共に、耳の近傍で面接触することにより、接触した部分が痛くなったり傷を生じたりすることのない眼鏡フレームを提供することを目的とする。
【課題を解決するための手段】
【０００９】
上記の課題を解決するために、本発明の請求項１に係る眼鏡フレームは、フロント部の両側に継手部を介してテンプルが回動可能に取り付けられている眼鏡フレームであって、前記テンプルが、前記回動面に沿って屈曲する屈曲部を有すると共に、該屈曲部により前方部と後方部とに区分したときに、該後方部が該前方部の延長線よりも内方に位置する手段を採用している。
【００１０】
また、本発明の請求項２に係る眼鏡フレームは、請求項１に記載の眼鏡フレームであって、前記テンプルの、前記後方部と前記前方部の延長線とのなす角度が１０度以上である手段を採用している。また、本発明の請求項３に係る眼鏡フレームは、請求項１又は２に記載の眼鏡フレームであって、前記継手部が湾曲状の弾性体を備え、前記テンプルが最大の回動状態からさらに拡開可能である手段を採用している。
【発明の効果】
【００１１】
本発明の眼鏡フレームは、上記の手段を採用することによって使用者の頭部に常にフィットし、動かないように装着することができる。また、頭部の大小にかかわらず耳の近傍でテンプルが面接触し、接触した部分が痛くなったり、傷を生じたりすることもない。
【発明を実施するための最良の形態】
【００１２】
以下、本発明の実施の形態を、図１〜図５を参照して説明する。図１は本発明の眼鏡フレームを示す斜視図であり、図２は平面図、図３は正面図、図４は側面図、図５はテンプルを平面的に見た説明図である。
この眼鏡フレーム１は、フロント部２の中央がブリッジ３で連結されると共に、フロント部２の両側に継手部５を介してテンプル６が回動可能に取り付けられている。また、フロント部２の中央には鼻パッド４が設けられている。
【００１３】
テンプル６はその中央近傍において、テンプル６の回動面に沿って屈曲する屈曲部７を有しており、テンプル６を屈曲部７によって前方部６ａと後方部６ｂとに区分したときに、後方部６ｂが前方部６ａの延長線よりも内方に位置するようになっている。そして、後方部６ｂと前方部６ａの延長線とのなす角度θは１０度以上であることが好ましく、２０〜３０度であることが特に好ましい。
【００１４】
テンプル６をこのような形状とすることにより、テンプル６の後方部６ｂが、常に使用者の後頭部側に接触することになる。すなわち、本発明の眼鏡フレーム１は、使用者の後頭部を両テンプル６の後方部６ｂで抱きかかえる状態となり、顔面に係止される鼻パッド４と協働して頭部にフィットすることになるので、動かないように装着することができる。
【００１５】
また、本発明の眼鏡フレーム１は、頭部の大小にかかわらず、接触する位置が殆ど変化せず、常に耳の近傍で接触することになる。そして、テンプル６の接触部分も殆ど変化しない。この結果、後方部６ｂの接触部分を、頭部に沿って丸みを施した形状とすることができる。すなわち、テンプル６の後方部６ｂが、使用者の頭部に対して、耳の近傍で面接触することが可能となる。したがって、接触した部分が痛くなったり傷を生じたりすることもない。
【００１６】
また、本発明の眼鏡フレーム１は、その継手部５に湾曲状の弾性体５ａを設けることが好ましい。図において弾性体５ａは、テンプル６の端部と蝶番との間に設けられているが、フロント部２の端部と蝶番との間に設けることもできる。
これにより、フロント部２に対して、テンプル６は最大の回動状態からさらに拡開可能となる。そして、頭部に対するテンプル６の接触が一層柔らかになり、ソフトにフィットすることができる。
【図面の簡単な説明】
【００１７】
【図１】本発明の眼鏡フレームの一例を示す斜視図である。
【図２】同眼鏡フレームの平面図である。
【図３】同眼鏡フレームの正面図である。
【図４】同眼鏡フレームの側面図である。
【図５】テンプルを平面的に見た説明図である。
【図６】従来の眼鏡フレームの一例を示す斜視図である。
【符号の説明】
【００１８】
１，１０  眼鏡フレーム
２        フロント部
３，３０  ブリッジ
４，４０  鼻パッド
５        継手部
５ａ      弾性体
６        テンプル
６ａ      前方部
６ｂ      後方部
７        屈曲部
【図１】
2007193040.tif 000003
【図２】
2007193040.tif 000004
【図３】
2007193040.tif 000005
【図４】
2007193040.tif 000006
【図５】
2007193040.tif 000007
【図６】
2007193040.tif 000008